(57)【要約】圧迫衣服システム及び方法は、目標圧力と、例えば、ある量の流体を１つ以上の流体セルに送達して、所望の目標圧力を達成するように調節することができる調節可能マニホルド圧力とを使用して、１つ以上の流体セルに流体を送達することができる。更に、圧迫衣服システム及び方法は、人間形グラフィック要素と、人間形グラフィック要素の周りの圧迫療法グラフィック表示とを示すグラフィックユーザインタフェースを提供することができる。圧迫療法グラフィック表示は、人間形グラフィック要素上に圧迫療法が実施され得る場所を表示し、または示し得る。更にまた、圧迫衣服システム及び方法は、通信インタフェースを含み、または使用して、それとともに使用される圧迫衣服の判定または識別を行うことができる。圧迫衣服の識別情報は、圧迫衣服の圧迫療法を設定するために使用してもよい。【選択図】図１
2021502151.tif 000002
【特許請求の範囲】
【請求項１】
患者に圧迫療法を提供するために、圧迫衣服に動作可能に結合可能な圧迫療法装置と、
少なくとも前記圧迫療法に関連した情報を表示するためのグラフィカルユーザインタフェースを構成する表示部と、
１つ以上のプロセッサを備え、前記圧迫療法装置及び前記表示部に動作可能に結合されたコントローラであって、前記コントローラが、
前記グラフィカルユーザインタフェース上に人間形グラフィック要素を表示すること、及び
前記圧迫療法装置によって実施可能な圧迫療法の位置を示す圧迫療法グラフィック表示を前記人間形グラフィック要素上に表示すること
を行うように構成されている、前記コントローラと
を備える、圧迫衣服システム。
【請求項２】
圧迫衣服システムのための方法であって、
患者に圧迫療法を提供するために圧迫衣服に動作可能に結合可能な圧迫療法装置のグラフィカルユーザインタフェース上に、人間形グラフィック要素を表示すること、及び
前記圧迫療法装置によって実施可能な圧迫療法の位置を示す圧迫療法グラフィック表示を前記人間形グラフィック要素上に表示すること
を含む、前記方法。
【請求項３】
前記圧迫療法装置は、前記患者に圧迫療法を実施するための、圧迫衣服の少なくとも１つの流体セルに動作可能に結合可能なポンプを備える、請求項１〜２のいずれか１項に記載の圧迫衣服システムまたは方法。
【請求項４】
前記人間形グラフィック要素は複数の身体領域を表し、前記圧迫療法グラフィック表示が前記複数の身体領域のうちの少なくとも１つの身体領域の上に表示されて、圧迫療法が、その身体領域に実施可能であることを示す、請求項１〜３のいずれか１項に記載の圧迫衣服システムまたは方法。
【請求項５】
前記グラフィカルユーザインタフェース上に治療設定グラフィック領域を提供して、前記患者に実施すべき前記圧迫療法をユーザが設定できるようにすることを、前記コントローラが更に実行するように構成されており、または前記方法が更に含み、前記人間形グラフィック要素は、前記治療設定グラフィック領域を備えた前記グラフィカルユーザインタフェース上に表示され、前記圧迫療法グラフィックは、前記治療設定グラフィック領域を使用して設定された圧迫療法の前記位置を示す、請求項１〜４のいずれか１項に記載の圧迫衣服システムまたは方法。
【請求項６】
前記治療設定グラフィック領域が、圧迫療法を施す前記患者の１つ以上の身体領域を選択するための、ユーザによって選択可能な複数の選択可能治療領域を含む、請求項５に記載の圧迫衣服システムまたは方法。
【請求項７】
前記複数の治療領域から治療領域を選択した時点で、前記治療設定グラフィック領域が、圧迫療法を施す前記患者の１つ以上の身体部位を選択するための、ユーザによって選択可能な複数の選択可能治療部位を含み、前記１つ以上の身体部位が、前記選択された１つ以上の身体部分のサブセットである、請求項６に記載の圧迫衣服システムまたは方法。
【請求項８】
前記複数の選択可能な身体部位のそれぞれは、圧迫療法が前記患者の前記対応する身体部位に施される時間を示す治療期間を含む、請求項７に記載の圧迫衣服システムまたは方法。
【請求項９】
１回の治療時に前記患者の２つ以上の身体領域を選択して圧迫療法を施すために、前記複数の選択可能な治療領域のうちの２つ以上がユーザによって選択可能である、請求項６〜８のいずれか１項に記載の圧迫衣服システムまたは方法。
【請求項１０】
前記治療設定グラフィック領域が、前記圧迫療法の圧力の増加、減少、または維持を行うための、ユーザによって選択可能な複数の治療圧変化領域を含む、請求項５〜９のいずれか１項に記載の圧迫衣服システムまたは方法。
【請求項１１】
前記治療設定グラフィック領域が、前記圧迫療法のサイクル数を選択するための、ユーザによって選択可能な複数の治療サイクル領域を含む、請求項５〜１０のいずれか１項に記載の圧迫衣服システムまたは方法。
【請求項１２】
前記グラフィカルユーザインタフェース上に治療状況グラフィック領域を提供して、前記患者に実施されている前記圧迫療法に関する状況情報をユーザが見ることができるようにすることを、前記コントローラが更に実行するように構成されており、または前記方法が更に含み、前記人間形グラフィック要素が、前記治療状況グラフィック領域と共に前記グラフィカルユーザインタフェース上に表示される、請求項１〜９のいずれか１項に記載の圧迫衣服システムまたは方法。
【請求項１３】
前記治療状況グラフィック領域が、
前記圧迫療法の１つ以上のサイクルの残り時間を示す治療期間エリアと、
ユーザが、実施されている前記圧迫療法の休止または再開を行うことができるようにするための休止／再開エリアと
を含む、請求項１２に記載の圧迫衣服システムまたは方法。
【請求項１４】
前記患者の少なくとも頭部及び他の１つの身体部分に圧迫療法を施すことを、前記コントローラが更に実行するように構成されているか、または前記方法が更に含む、請求項１〜１３のいずれか１項に記載の圧迫衣服システムまたは方法。
【請求項１５】
ユーザが治療設定を保存できるようにすること、及び
前記保存された治療設定に従って圧迫療法を設定するための、前記ユーザによって選択可能なプリセット領域を表示すること
を、前記コントローラが更に実行するように構成されているか、または前記方法が更に含む、請求項１〜１４のいずれか１項に記載の圧迫衣服システムまたは方法。
【請求項１６】
デフォルトの治療設定を定めること、及び
前記デフォルトの治療設定に従って圧迫療法を設定するための、前記ユーザによって選択可能なデフォルト療法領域を表示すること
を、前記コントローラが更に実行するように構成されているか、または前記方法が更に含む、請求項１〜１５のいずれか１項に記載の圧迫衣服システムまたは方法。
【発明の詳細な説明】
【技術分野】
【０００１】
本出願は、２０１７年１１月６日に出願された「Ｃｏｍｐｒｅｓｓｉｏｎ  Ｇａｒｍｅｎｔ  Ｓｙｓｔｅｍｓ」と題する米国仮出願第６２／５８２，２８１号の利益を主張するものであり、この米国仮出願は、その全体が参照により援用される。
【０００２】
本開示は、一般に、圧迫衣服の流体セルに流体を送達するため、及び圧迫療法に関連したグラフィカルユーザインタフェースを提供するための圧迫衣服システム及び方法に関する。
【０００３】
例えば、リンパ浮腫、浮腫の治療、創傷治癒などには、各種の圧迫衣服が有効である。例えば、患者に圧迫療法を提供できるように、衣服が膨張式のチャンバまたはセル（または他の作動可能要素）を含む場合があり、この衣服が、ヒトまたは動物の任意の身体部分の周りに配置され得る。特に、リンパ液及び／またはその他の体液の蓄積が原因で腫脹を示し、この衣服によって提供される圧迫療法の恩恵を受けるだろう身体部分の周りに、この衣服は配置され得る。例えば、そのようなチャンバまたはセルは、ある身体領域から別の身体領域へリンパ液を移動させることによって患者にその療法を提供するように、様々な順序で１つ以上の種々の圧力に膨張させることが可能なものであり得る。つまり、そのような圧迫衣服は、１つ以上の身体領域（例えば、罹患肢など）で身体に圧力をかけるのに使用するために、個人の身体の少なくとも一部の周りに取り付けられ得る。これらの圧迫衣服は、患者自身が、または患者が他者の助けを借りて、着用（例えば、着る）及び脱衣（例えば、脱ぐ、または取り外す）を行い得るものである。
【発明の概要】
【０００４】
例示的な圧迫システム及び方法は、１つ以上の身体部分であって、その周りに圧迫衣服が着用されている部分に圧迫療法を提供するために、圧迫衣服の流体セルを充填する１つ以上の手段を含み得る。圧迫療法の実施中に圧迫衣服を着用している間、ユーザは様々な体位に配置され得、この体位は、ユーザの１つ以上の身体領域に、選択された量の圧力を加えるのに用いられる流体の量に影響を及ぼし得る。例えば、ユーザが、圧迫衣服の流体セルの少なくとも一部の上に座っている（例えば、それによって、流体セルの１つ以上の部分をつぶす、または流体セルの１つ以上の部分に圧力を加える）場合に、身体部分に同量及び同質の圧迫療法を提供することは、（例えば、ユーザの身体による流体セルの圧縮のため、流体セルに全く、またはほとんど圧力が印加されないように）ユーザが立っているときよりも流体セルに送達される流体を少なく済ませることができる。例示的な圧迫衣服及び方法は、ユーザが置かれる体位や、または所望の量及び質の圧迫療法を実施するために流体セルで必要とされ得る流体の量に影響を及ぼす可能性のあるその他の要因に関わらず、例えば誤差の範囲内で、流体セルの選択された目標圧力が確実に満たされるものと特徴付けられ得る１つ以上の手段を含む。
【０００５】
そのためには、例示的な圧迫システム及び方法は、目標圧力及び調節可能マニホルド圧力を定めてもよい。目標圧力は、一般に、流体セルの所望の圧力であると特徴付けられ得る。調節可能マニホルド圧力は、例示的なシステム及び方法によって修正または調節が行われ、例えば、適切なまたは選択されたマージン内で、流体セル内の目標圧力に到達するように、流体セルへの流体の送達を停止する時期を判定するのに用いられ得る圧力値であると特徴付けられ得る。更に、調節マニホルド圧力は、流体セルに流体が送達されている間に測定され得、一方、目標圧力は、流体セルに流体が送達されていない間に測定され得る。言い換えれば、調節可能マニホルド圧力は、進行している流体の送達時に測定され得、目標圧力は、流体セルに流体が送達されていない定常状態時に測定され得る。更に、１つ以上の実施形態では、例示的な圧迫衣服装置は、複数の流体セルのうちの１つの流体セルに一度に１つずつ流体を分配するように構成されたマニホルドの内部に配置されている単一の圧力センサを含んでもよい。このようにして、単一の圧力センサを使用して、調節可能マニホルド圧力と比較させるために、流体送達時にマニホルド内の圧力を測定し、目標圧力と比較させるために、流体送達が停止されたときにマニホルド内の圧力を測定してもよい。
【０００６】
例示的な圧迫衣服のシステム及び方法は、様々な圧迫療法装置を使用して圧迫療法を提供し設定するために、ユーザが使用することができるグラフィカルユーザインタフェースを更に含み得る。このグラフィカルユーザインタフェースは、圧迫療法が行われ得る、または現在行われているユーザ上の場所を示すために、圧迫療法のグラフィック表示をその上に表示し得る、または描写し得る、人間形のグラフィック要素を含んでもよい。このように、グラフィカルユーザインタフェースは、圧迫療法に関する情報をユーザに提供する直感的でユニークな手段を提供するもの、より具体的には、圧迫療法が人体に行われる場所、または行われている場所を示す直感的でユニークな手段を提供するものと特徴付けられ得る。
【０００７】
例示的な圧迫衣服のシステム及び方法は、更に、例えば、圧迫療法装置が圧迫衣服の識別に基づいて設定され得る（例えば、設定が選択される、療法プログラムがカスタマイズされる及び／または提示されるなど）ように、無線通信インタフェースを使用して圧迫衣服を識別するためのプロセスを含んでもよい。例えば、ユーザは、脚用圧迫衣服を本システムの近くに配置してもよく、この脚用圧迫衣服は、通信インタフェースを介して識別されてもよい。したがって、本システムは、脚用圧迫衣服で用いるための圧迫療法を設定することができ、及び／または脚用圧迫衣服に対応する、または関連するユーザに提示すべき特定の設定オプションを選択することができる（例えば、脚用圧迫療法プログラムのみをユーザに提示することができるなど）。追加として、例えば、ユーザは、圧迫衣服を識別するために、例えば携帯電話などのユーザインタフェースデバイスを使用して、通信インタフェースと通信してもよい。例えば、ユーザは、ユーザインタフェースデバイスを使用して頭部用衣服を選択してもよく、この頭部用衣服の選択がシステムの通信インタフェースに転送され得、それによって、頭部用圧迫衣服が使用されることをシステムが認識し、頭部用圧迫衣服向けの療法をシステムが設定することができる。更にまた、圧迫衣服システムのグラフィカルユーザインタフェース、またはその少なくとも１つ以上のグラフィック領域、グラフィックエリア、もしくはグラフィック要素が、ユーザインタフェースデバイスへ伝達され、ユーザインタフェースデバイス上に表示されてもよい。このようにして、ユーザが、圧迫衣服システムのグラフィカルユーザインタフェースを直視する必要がなくなり得、その代わりに、ユーザは、自身のユーザインタフェースデバイスを使用して、圧迫衣服システムの状態（例えば、治療状況）を閲覧し、及び／または圧迫衣服システムを設定することができる。
【０００８】
１つの例示的な圧迫衣服システムは、圧迫衣服の少なくとも１つの流体セルに動作可能に結合可能なマニホルドと、少なくとも１つの流体セルに流体を送達するために、マニホルドに動作可能に結合されたポンプと、１つ以上のプロセッサを備え、ポンプに動作可能に結合されたコントローラとを含み得る。コントローラは、少なくとも１つの流体セルのそれぞれに、目標圧力を与えること、少なくとも１つの流体セルのそれぞれに、調節可能マニホルド圧力を与えること、及びポンプを使用して、マニホルド内の圧力が調節可能マニホルド圧力に等しくなるまで、少なくとも１つの流体セルに流体を送達することを行うように構成され得る。コントローラは、更に、ポンプが少なくとも１つの流体セルへの流体の送達を停止した後に、マニホルド内の圧力を測定すること、マニホルド内の圧力が目標圧力よりも低いことに応答して、調節可能マニホルド圧力を増加させ、マニホルド内の圧力が増加した調節可能マニホルド圧力と等しくなるまで、ポンプを使用して、少なくとも１つの流体セルに流体を送達し続けること、及びマニホルド内の圧力が目標圧力よりも高いことに応答して、調節可能マニホルド圧力を減少させることを行うように構成され得る。
【０００９】
圧迫衣服の少なくとも１つの流体セルを充填する１つの例示的な方法は、ポンプを使用して、マニホルド内の圧力が調節可能マニホルド圧力に等しくなるまで、少なくとも１つの流体セルに流体を送達すること、ポンプが少なくとも１つの流体セルへの流体の送達を停止した後に、マニホルド内の圧力を測定すること、マニホルド内の圧力が目標圧力よりも低いことに応答して、調節可能マニホルド圧力を増加させ、マニホルド内の圧力が増加した調節可能マニホルド圧力と等しくなるまで、ポンプを使用して、少なくとも１つの流体セルに流体を送達し続けること、及びマニホルド内の圧力が目標圧力よりも高いことに応答して、調節可能マニホルド圧力を減少させることを含み得る。
【００１０】
１つ以上の実施形態では、少なくとも１つの流体セルは、圧迫衣服が着用されたときに、ユーザの１つ以上の身体部分の複数の領域に圧力を加えるために、複数の圧力印加領域に対応する複数の流体セルを含んでもよい。更に、目標圧力は、複数の流体セルのうちの少なくとも２つの流体セルについて相異なっていてもよい。
【００１１】
１つ以上の実施形態では、マニホルドは、ポンプから少なくとも１つの流体セルへ流体を伝達するために、複数のホースに動作可能に結合可能な複数の管接続口を備えてもよい。更に、複数の管接続口のそれぞれは、複数の開口部を有してもよく、複数の開口部のそれぞれは、少なくとも１つの流体セルのうちの異なる流体セルに動作可能に結合されてもよい。
【００１２】
１つ以上の実施形態では、ポンプは、可変速度ポンプであってもよく、コントローラは、更に、第１のタイプの圧迫衣服の１つ以上の流体セルへ流体を送達する第１の速度を定めること、及び第２のタイプの圧迫衣服の１つ以上の流体セルへ流体を送達する第２の速度を定めることを行うように構成されてもよく、その場合、第１の速度が第２の速度と異なる。更に、第１のタイプの圧迫衣服は、ユーザの頭部の周りに着用可能であってもよく、第２のタイプの圧迫衣服は、ユーザの胴体、体幹、脚、及び腕の１つ以上の周りに着用可能であってもよい。更にまた、第１の速度は第２の速度よりも小さくてもよい。
【００１３】
１つの例示的な圧迫衣服システムは、患者に圧迫療法を提供するために、圧迫衣服に動作可能に結合可能な圧迫療法装置と、少なくとも圧迫療法に関連した情報を表示するためのグラフィカルユーザインタフェースを構成する表示部と、１つ以上のプロセッサを備え、圧迫療法装置及び表示部に動作可能に結合されたコントローラとを含み得る。コントローラは、グラフィカルユーザインタフェース上に人間形グラフィック要素を表示すると共に、圧迫療法装置によって圧迫療法の実施が可能な位置を示す圧迫療法グラフィック表示を人間形グラフィック要素上に表示するように構成されてもよい。
【００１４】
圧迫衣服システムのための１つの例示的な方法は、患者に圧迫療法を提供するために、圧迫衣服に動作可能に結合可能な圧迫療法装置のグラフィカルユーザインタフェース上に人間形グラフィック要素を表示すること、及び圧迫療法装置によって圧迫療法の実施が可能な位置を示す圧迫療法グラフィック表示を人間形グラフィック要素上に表示することを含み得る。
【００１５】
１つ以上の実施形態では、圧迫療法装置は、患者に圧迫療法を実施するために、圧迫衣服の少なくとも１つの流体セルに動作可能に結合可能なポンプを含んでもよい。
【００１６】
１つ以上の実施形態では、人間形グラフィック要素は複数の身体領域を表してもよく、複数の身体領域のうちの少なくとも１つの身体領域の上に圧迫療法グラフィック表示が表示されて、その身体領域に圧迫療法を実施可能であることが示される。
【００１７】
１つ以上の実施形態では、グラフィカルユーザインタフェース上に治療設定グラフィック領域を提供して、患者に実施すべき圧迫療法をユーザが設定できるようにすることを、コントローラが更に実行するように構成され得るか、または方法が更に含み得る。人間形グラフィック要素は、治療設定グラフィック領域を備えたグラフィカルユーザインタフェース上に表示され得、この圧迫療法グラフィックは、治療設定グラフィック領域を使用して設定された圧迫療法の位置を示し得る。更に、治療設定グラフィック領域は、患者の１つ以上の身体領域のうちのどの身体領域に圧迫療法を施すかを選択するために、ユーザによって選択可能な複数の選択可能治療領域を含んでもよい。更にまた、複数の治療領域から１つの治療領域を選択した時点で、圧迫療法を施すために患者の１つ以上の身体部位を選択できるように、治療設定グラフィック領域は、ユーザによって選択可能な複数の選択可能治療部位を含んでもよく、その場合、１つ以上の身体部位は、選択された１つ以上の身体部分のサブセットである。更にまた、複数の選択可能な身体部位のそれぞれには、圧迫療法が患者の対応する身体部位に施される時間を示す治療期間を含めてもよい。更にまた、１回の治療時に患者の２つ以上の身体領域を選択して圧迫療法を実施するために、選択可能な複数の治療領域のうちの２つ以上をユーザが選択可能であってもよい。更にまた、治療設定グラフィック領域には、圧迫療法のための圧力の増加、減少、または維持のために、ユーザによって選択可能な複数の治療圧変化領域を含めてもよい。更にまた、治療設定グラフィック領域には、圧迫療法のサイクル数を選択するために、ユーザによって選択可能な複数の治療サイクル領域を含めてもよい。
【００１８】
１つ以上の実施形態では、グラフィカルユーザインタフェース上に治療状況グラフィック領域を提供して、患者に実施されている圧迫療法に関する状況情報をユーザが見ることができるようにすることを、コントローラが更に実行するように構成され得るか、または方法が更に含み得る。人間形グラフィック要素は、治療状況グラフィック領域を備えたグラフィカルユーザインタフェース上に表示され得る。更に、治療状況グラフィック領域は、圧迫療法の１つ以上のサイクルの残り時間を示す治療期間エリアと、ユーザが、実施されている圧迫療法の休止または再開を行うことができるようにするための休止／再開エリアとを含んでもよい。
【００１９】
１つ以上の実施形態では、患者の少なくとも頭部及び別の身体部分に圧迫療法を施すことを、コントローラが更に実行するように構成され得るか、または方法が更に含み得る。
【００２０】
１つ以上の実施形態では、ユーザが治療設定を保存できるようにすること、及び保存された治療設定に従って圧迫療法を設定するための、ユーザによって選択可能なプリセット領域を表示することを、コントローラが更に実行するように構成され得るか、または方法が更に含み得る。更に、１つ以上の実施形態では、デフォルトの治療設定を定めること、及びそのデフォルトの治療設定に従って圧迫療法を設定するための、ユーザによって選択可能なデフォルト療法領域を表示することを、コントローラが更に実行するように構成され得るか、または方法が更に含み得る。
【００２１】
１つの例示的な圧迫衣服システムは、患者に圧迫療法を提供するために、圧迫衣服に動作可能に結合可能な圧迫療法装置と、圧迫療法に関連した情報を表示するためのグラフィカルユーザインタフェースを構成する表示部と、アンテナを備える通信インタフェースと、１つ以上のプロセッサを備え、圧迫療法装置及び通信インタフェースに動作可能に結合されたコントローラとを含み得る。このコントローラは、通信インタフェースを使用して圧迫衣服を識別すること、及び圧迫衣服の識別情報に基づいて、圧迫衣服によって実施すべき圧迫療法を設定することを行うように構成され得る。
【００２２】
圧迫衣服を含む圧迫療法装置と共に使用する１つの例示的な方法は、アンテナを備える通信インタフェースを使用して圧迫衣服を識別すること、及び圧迫衣服の識別情報に基づいて、圧迫衣服によって実施すべき圧迫療法を設定することを含み得る。
【００２３】
１つ以上の実施形態では、通信インタフェースを使用して圧迫衣服を識別することが、無線自動識別（ＲＦＩＤ）を使用して圧迫衣服を識別することを含んでもよい。更に、１つ以上の実施形態では、通信インタフェースを使用して圧迫衣服を識別することが、ブルートゥース（登録商標）を使用して圧迫衣服を識別することを含んでもよい。更にまた、１つ以上の実施形態では、通信インタフェースを使用して圧迫衣服を識別することが、ユーザインタフェースデバイスから圧迫衣服の識別情報を受け取ることを含んでもよい。
【００２４】
１つ以上の実施形態では、ユーザが、ユーザインタフェースデバイスを使用して、圧迫療法を設定できるようにすること、及びユーザインタフェースデバイスから、通信インタフェースを使用して、圧迫療法の設定を受け取ることを、コントローラが更に実行するように構成され得るか、または方法が更に含み得る。
【００２５】
１つ以上の実施形態では、治療状況の情報をユーザインタフェースデバイスに伝達して、治療状況の情報が、ユーザインタフェースデバイスのグラフィカルユーザインタフェース上に表示可能であるようにすることを、コントローラが更に実行するように構成され得るか、または方法が更に含み得る。この治療状況のグラフィック情報が、圧迫療法の１つ以上のサイクルの残り時間を示す治療期間エリアと、ユーザが、実施されている圧迫療法の休止または再開を行うことができるようにするための休止／再開エリアとを含んでもよい。
【００２６】
上記の概要は、本開示の各実施形態または全てのそれぞれの実施を説明することを意図するものではない。添付の図面と併せて以下の詳細な説明及び特許請求の範囲を参照することによって、より完全な理解が明らかになり、理解されるであろう。
【図面の簡単な説明】
【００２７】
【図１】図１は、身体の上に配置された体幹用衣服及び脚用衣服を含む例示的な圧迫システムの正面斜視図である。
【図２】図２は、例示的な圧迫衣服コントローラの斜視図である。
【図３】図３は、例示的な圧迫衣服コントローラの図である。
【図４】図４は、圧迫衣服の流体セルに流体を送達する例示的な方法のフローチャートである。
【図５】図５は、グラフィカルユーザインタフェースを含む図２の圧迫衣服コントローラの一部の正面図である。
【図６Ａ】図６Ａは、導入グラフィック領域を示す、図１〜３及び図５の例示的なシステム及びコントローラの例示的なグラフィカルユーザインタフェースである。
【図６Ｂ】図６Ｂは、導入グラフィック領域を示す、図１〜３及び図５の例示的なシステム及びコントローラの例示的なグラフィカルユーザインタフェースである。
【図６Ｃ】図６Ｃは、導入グラフィック領域を示す、図１〜３及び図５の例示的なシステム及びコントローラの例示的なグラフィカルユーザインタフェースである。
【図７Ａ】図７Ａは、治療状況グラフィック領域を示す、図１〜３及び図５の例示的なシステム及びコントローラの例示的なグラフィカルユーザインタフェースである。
【図７Ｂ】図７Ｂは、治療状況グラフィック領域を示す、図１〜３及び図５の例示的なシステム及びコントローラの例示的なグラフィカルユーザインタフェースである。
【図７Ｃ】図７Ｃは、治療状況グラフィック領域を示す、図１〜３及び図５の例示的なシステム及びコントローラの例示的なグラフィカルユーザインタフェースである。
【図８】図８は、身体領域の選択を含む治療設定グラフィック領域を示す、図１〜３及び図５の例示的なシステム及びコントローラの例示的なグラフィカルユーザインタフェースである。
【図９】図９は、選択された身体領域のうちの１つ以上の身体部位の選択を含む種々の治療設定グラフィック領域を示す、図１〜３及び図５の例示的なシステム及びコントローラの例示的なグラフィカルユーザインタフェースである。
【図１０】図１０は、選択された身体領域のうちの１つ以上の身体部位の選択を含む種々の治療設定グラフィック領域を示す、図１〜３及び図５の例示的なシステム及びコントローラの例示的なグラフィカルユーザインタフェースである。
【図１１Ａ】図１１Ａは、圧迫療法をセットアップするために使用される治療設定グラフィック領域を示す、図１〜３及び図５の例示的なシステム及びコントローラの例示的なグラフィカルユーザインタフェースである。
【図１１Ｂ】図１１Ｂは、圧迫療法をセットアップするために使用される治療設定グラフィック領域を示す、図１〜３及び図５の例示的なシステム及びコントローラの例示的なグラフィカルユーザインタフェースである。
【図１１Ｃ】図１１Ｃは、圧迫療法をセットアップするために使用される治療設定グラフィック領域を示す、図１〜３及び図５の例示的なシステム及びコントローラの例示的なグラフィカルユーザインタフェースである。
【図１１Ｄ】図１１Ｄは、圧迫療法をセットアップするために使用される治療設定グラフィック領域を示す、図１〜３及び図５の例示的なシステム及びコントローラの例示的なグラフィカルユーザインタフェースである。
【図１１Ｅ】図１１Ｅは、圧迫療法をセットアップするために使用される治療設定グラフィック領域を示す、図１〜３及び図５の例示的なシステム及びコントローラの例示的なグラフィカルユーザインタフェースである。
【図１１Ｆ】図１１Ｆは、圧迫療法をセットアップするために使用される治療設定グラフィック領域を示す、図１〜３及び図５の例示的なシステム及びコントローラの例示的なグラフィカルユーザインタフェースである。
【図１２Ａ】図１２Ａは、圧迫療法の調節を示す、図１〜３及び図５の例示的なシステム及びコントローラの例示的なグラフィカルユーザインタフェースである。
【図１２Ｂ】図１２Ｂは、圧迫療法の調節を示す、図１〜３及び図５の例示的なシステム及びコントローラの例示的なグラフィカルユーザインタフェースである。
【図１２Ｃ】図１２Ｃは、圧迫療法の調節を示す、図１〜３及び図５の例示的なシステム及びコントローラの例示的なグラフィカルユーザインタフェースである。
【発明を実施するための形態】
【００２８】
例示のための実施形態である以下の詳細な説明では、本明細書の一部を構成し、実施可能な特定の実施形態を実例として示す添付の図面を参照する。本明細書によって提示される本開示の範囲から逸脱することなく（例えば、その範囲に引き続き含まれて）、他の実施形態を利用することができ、構造上の変更を加え得ることを理解されたい。
【００２９】
図１〜図１２を参照して、例示的な装置、システム、構造、及び方法を説明する。１つの実施形態の要素を、もう１つの実施形態の要素と組み合わせて用い得ること、ならびに本明細書で述べる特徴の組み合わせを用いる装置、システム、構造、及び方法の考えられる実施形態が、図示される、及び／または本明細書に記載される特定の実施形態に限定されないことは、当業者には明らかであろう。その上、本明細書に記載される実施形態は、必ずしも縮尺通りに示されていない多くの要素を含み得ることを認識されるであろう。更にまた、本明細書の様々な要素の大きさ及び形状を修正してもよく、引き続き本開示の範囲内に入るが、ある特定の１つ以上の形状及び／または大きさ、または要素の種類が、他のものよりも有利な場合があることを認識されるであろう。
【００３０】
本開示は、一般に身体（例えば、ヒト、動物など）の少なくとも一部に着用されるように構成され、身体のその部分に圧力をかけるように構成された衣服部分を含む圧迫衣服、身体の少なくとも一部にかけられる圧力を制御するための圧迫衣服及び圧迫装置を含む圧迫衣服システム、ならびに、そのような圧迫衣服及び圧迫衣服システムを使用する方法（例えば、身体にかけられる圧力を制御する方法、グラフィカルユーザインタフェースを提供する方法及び表示する方法、圧迫療法を設定する方法、圧迫衣服を識別する方法など）に関する。
【００３１】
圧迫衣服システム（例えば、「Ｌｙｍｐｈｅｄｅｍａ  ｔｒｅａｔｍｅｎｔ  ｓｙｓｔｅｍ」と題する米国特許第６，１７９，７９６号、「Ｌｙｍｐｈｅｄｅｍａ  ｔｒｅａｔｍｅｎｔ  ｓｙｓｔｅｍ」と題する米国特許第６，６４５，１６５号、「Ｌｙｍｐｈｅｄｅｍａ  Ｔｒｅａｔｍｅｎｔ  Ｓｙｓｔｅｍ」と題する米国特許第６，８６０，８６２号、及び「Ｌｙｍｐｈｅｄｅｍａ  Ｔｒｅａｔｍｅｎｔ  Ｓｙｓｔｅｍ」と題する米国特許第６，９６６，８８４号に記載されている圧迫衣服などであり、これらの米国特許は参照により本明細書に援用され、これらの米国特許は、本明細書に記載されている特徴でもって修正してもよく、修正することができる）は、リンパ浮腫のある人々の治療、治療を必要とする動物、創傷治療などを含む様々な理由で使用される。本明細書で使用するとき、身体という用語は、ヒトだけでなく、本明細書で説明する概念及び特徴から利益を得ることができる他の任意の動物種を指す。これらの圧迫衣服は、個人の身体の少なくとも一部の周りに取り付けられ、罹患肢（例えば、脚、頭、首、腕、胴体、肩など）で体に圧力をかけるのに使用され得る。本明細書で説明されるいくつかの実施形態は、身体の上の少なくとも一部（例えば、体幹、脚、足、腕、胴体、肩、頭、首など）に配置される（例えば、巻き付けられる、隣接して取り付けられる、近接して位置させるなど）ように構成された衣服を有する圧迫システムを含み得る。圧迫衣服は、個人自身が、または個人が他者の助けを借りて、着用（例えば、着る）及び脱衣（例えば、脱ぐ）を行い得るものである。また、この衣服は、圧迫療法を実行するために流体（例えば、空気）を受け入れるように構成された、衣服のうちの分布した（例えば、全体にわたって分布する、長さに沿って中心点または中心軸から「放射状に広がる」同心円パターンに分布するなど）１つ以上のチャンバ（例えば、セル、コンパートメント、密閉ボリューム、ブラダなど）を含み得る。
【００３２】
圧迫衣服システムによって可能になる圧迫療法は、リンパ浮腫の治療に役立ち得る。リンパ浮腫は、遺伝的に受け継がれ得る、がんの治療によってもたらされ得る、寄生虫感染、傷害などによってもたらされ得る、局所的な体液貯留及び組織腫脹の状態である。例えば、脚のリンパ浮腫は、足、足首、ふくらはぎ、膝、大腿部などの周囲に腫脹を生じさせ得る。本明細書に記載されている脚及び体幹を覆う圧迫衣服は、治療効果を与える目的で罹患者によって使用され得る。具体的に言うと、本圧迫衣服は、圧力をかけて、より有益となる位置へ向けてリンパ液を移動させる（例えば、排出部位へ向けて移動させる、病変部位から遠ざけるなど）ことによって、リンパ節またはリンパ管を処置するように構成され得る。例えば、本明細書に記載のシステムを使用する圧迫療法は、例えば、上部胴体の方へ上向きにリンパ液を移動させること、リンパ液を上部胴体から下向きに遠ざけることなどによって、脚及び体幹の領域のリンパ浮腫を治療するのに効果的であるように、脚及び体幹の領域の周りで行い得る。
【００３３】
本明細書に記載される圧迫衣服は、圧迫療法を施すために、病変部位に圧力をかけるように構成され得る。本圧迫衣服は、それぞれが制御可能な圧力印加領域を含む、様々な部分を含み得る。制御可能な各圧力印加領域は、（例えば、治療中の特定の時間に）身体の特定の部分に圧力をかけるように構成されてもよい。制御可能な圧力印加領域は、相互に組み合わさって機能して、所望の方向へ（例えば、足から体幹の方へ、体幹から足の方へ、足からふくらはぎの方へ、足首から大腿の方へなど）リンパ液を移動させる一連の圧力を身体にかけることによって治療を提供するのに効果的であり得る。そのようなリンパ液を移動させる身体への一連の圧力の印加（例えば、圧迫療法期間中の様々な時点で、脚、足、及び体幹の１つ以上の部分に圧力がかけられる）を、身体への動圧の印加と呼ぶことができる。この一連の圧力を、例えば、遠位領域（例えば、足、つま先、足首など）から近位領域（例えば、体幹、胴体など）への圧力勾配と呼ぶことができる。更に、いくつかの実施形態では、動圧は、順次に印加されず、代わりに、本明細書で更に説明するように、非連続的に印加されてもよい。
【００３４】
また、本圧迫衣服の制御可能な圧力印加領域は、身体に静圧をも印加し得る。例えば、本圧迫衣服は、治療期間にわたって衣服の一部が身体の上に配置されたとき、定圧をかけることができ（例えば、治療期間にわたっての静圧）、または治療期間中に、時間と共に変化するように制御され得る圧力をかけることができる（例えば、動圧）。１つ以上の実施形態では、圧迫衣服中の１つ以上のチャンバを通じて、身体の一部に動圧をかけることができる。１つ以上のチャンバは、流体を受け入れるように構成され得る。代わりに、または１つ以上の流体受容チャンバと組み合わせて、身体に圧力をかけるように構成された圧迫衣服中の１つ以上の作動可能要素（例えば、圧迫を提供するのに適している電気的に制御された材料）を使用して、そのような圧力をかけることができる。
【００３５】
人体１０の体幹２５及び脚１２、１３の少なくとも一部の周りに配置されるように構成された体幹用圧迫衣服１００と、人体１０の左脚１２の少なくとも一部の周りに配置されるように構成された脚用圧迫衣服２００とを含む例示的な圧迫衣服システム５０を図１に示す。体幹用衣服１００及び脚用衣服２００は、身体１０に圧迫療法を施すために、一緒に、または別々に使用され得る。図示の実施形態では、体幹用衣服１００と１つの脚用衣服２００とが身体１０によって着用されているが、図１に示されているものは一構成に過ぎず、この体幹及び脚用衣服１００、２００は、他にも多くの構成で使用できることを理解されたい。例えば、２つの脚用衣服２００を、体幹用衣服１００を伴って、または伴わずに、同時に使用してよい。また、例えば、体幹用衣服１００は、それだけで使用してよい。更にまた、例えば、体幹用衣服１００を伴って、または伴わずに、１つの脚用衣服２００を右脚１２の周りに使用してよい。
【００３６】
更に、体幹用衣服及び脚用衣服１００、２００が図１に示されているが、本明細書に記載される例示的なシステム、装置、及び方法は、例えば、腕用圧迫衣服、胸部用圧迫衣服、胸部及び腕用圧迫衣服、首用圧迫衣服、頭部用圧迫衣服などの任意数の様々な圧迫衣服と共に使用してもよいことを理解されたい。
【００３７】
体幹用衣服１００及び脚用衣服２００は、それぞれ、身体１０の部分に圧力を加えるように制御可能な、または構成可能な複数の圧力印加領域を画定し得るか、または含み得る。例えば、体幹用衣服１００は、例えば、腹部領域１４、下腹部領域１５、股関節部領域１６、鼠径部領域１７、及び大腿骨領域１８など、胴体または体幹２５の１つ以上の部分または領域に圧力をかけるように制御可能な、または構成可能な体幹圧力印加領域１０１を含み得る。例えば、脚用衣服２００は、例えば、大腿骨領域１８、膝蓋骨領域１９、下腿領域２０、足根領域２１、ペダルまたは足領域２２、及び指／指骨領域２３など、脚１２、１３の１つ以上の部分または領域に圧力を加えるように制御可能な、または構成可能な脚圧力印加領域２０１を含み得る。１つ以上の実施形態では、体幹及び脚用衣服１００、２００は、圧力印加領域を覆う外装材を含んでもよい。
【００３８】
１つ以上の圧力印加領域１０１、２０１は、流体チャンバまたは流体セル、空気圧印加領域、作動可能要素、液圧印加領域などを含み得る。１つ以上の実施形態では、１つ以上の圧力印加領域１０１、２０１は、流体を受け入れるように構成された１つ以上のチャンバを含んでもよく、更に、システム５０は、その１つ以上のチャンバに供給される流体、例えば、流体の流れ、空気の流れなどの制御を通じてその１つ以上のチャンバを使用して、身体１０の１つ以上の部分または領域に圧力をかけるように構成されたコントローラ５２を含んでもよい。例えば、体幹用衣服１００は、流体が、管材料５４を経由して、体幹用衣服管接続口を通って、１つ以上のチャンバに供給され得る、１つ以上の体幹用衣服管接続口を含んでもよく、脚用衣服部分２００は、流体が、管材料５５を経由して、脚用衣服管接続口を通って、１つ以上のチャンバに供給され得る、１つ以上の脚用衣服管接続口を含んでもよい。
【００３９】
更に、１つ以上の実施形態では、圧力印加領域１０１、２０１は、１つ以上の身体部分または身体領域に圧力を加えるように構成された１つ以上の作動可能要素（例えば、非流体受容領域）を含み得る（例えば、電気信号を使用して、衣服内の電気的に作動可能な繊維などの衣服内の要素を作動させ、その結果、そのような繊維を含む区画が身体の一部または一領域に圧力をかけてもよい）。１つ以上の実施形態では、１つ以上の圧力印加領域１０１、２０１は、流体を受け入れるように構成された１つ以上のチャンバと、１つ以上の作動可能要素との両方を含んでもよい。
【００４０】
本明細書で説明するように、圧力印加領域１０１、２０１を制御して、リンパ液を移動させることができるように、任意数の圧力印加領域１０１、２０１（これらのいくつかは図１でラベル付けされている）を、それぞれ体幹及び脚用衣服１００、２００に構成してもよい。例えば、図１に示すように、体幹用衣服１００は８つの圧力印加領域１０１を含み、脚用衣服２００は２２個の圧力印加領域２０１を含む。しかしながら、そのような圧力印加領域１０１、２０１は、衣服１００、２００の巻き付け可能な長手方向に沿って、任意数の様々な別個のチャンバを含んでもよく、所望のリンパ液の移動を生じさせるように制御可能である（例えば、リンパ液を下方向または上方向に概して垂直に移動させるために、体幹及び脚用衣服１００、２００の長手方向に沿った複数のチャンバなど）。
【００４１】
コントローラ、または制御装置５２は、とりわけ、衣服１００、２００の圧力印加領域１０１、２０１のそれぞれを使用して、身体１０の１つ以上の部分または領域に加えられる圧力を制御するように構成され得る。例えば、コントローラ５２は、圧力印加領域１０１、２０１のそれぞれを、互いに独立して、または同時に使用することによって、身体１０の１つ以上の部分または領域に加えられる圧力を制御してもよい。更に、例えば、圧力印加領域１０１、２０１は、グループで、または組み合わせて制御されてもよい。１つ以上の実施形態では、コントローラ５２は、例えば、リンパ浮腫治療を実行する、または実施するのに適した多様な順序で圧力印加領域１０１，２０１を制御する（例えば、予め決められた通りに圧力を加える）ように構成されていてもよい。
【００４２】
コントローラ５２は、体幹用衣服及び脚用衣服１００、２００に関して本明細書では説明されているが、コントローラ５２を、例えば、頭部用圧迫衣服、腕用圧迫衣服、胸部及び腕用圧迫衣服、胸部用圧迫衣服、首用圧迫衣服などの多様な圧迫衣服に対して（例えば、多様な圧迫衣服を使用して圧迫療法を制御するために、多様な圧迫衣服の流体セルに流体を供給するためになど）使用してよいことを理解されたい。更に、コントローラ５２を、同時にまたは一度に１つずつ、複数の圧迫衣服を使用して、圧迫療法を提供するように構成し得ることを理解されたい。例えば、図１に関して示すように、コントローラ５２は、体幹用圧迫衣服１００と脚用圧迫衣服２００の両方を使用して、圧迫療法を制御し及び／または提供することができる。更に、例えば、コントローラ５２は、胸部用圧迫衣服と頭部用圧迫衣服の両方を使用して、圧迫療法を制御し及び／または提供することができる。更にまた、例えば、コントローラ５２は、胸部用及び腕用圧迫衣服と体幹用圧迫衣服の両方を使用して、圧迫療法を制御し及び／または提供することができる。そして更にまた、例えば、コントローラ５２は、左脚用圧迫衣服と右脚用圧迫衣服の両方を（例えば、アダプタを用いて、管接続口数を４から８に拡張して）使用して、圧迫療法を制御し及び／または提供することができる。その上更にまた、例えば、コントローラ５２は、左脚用圧迫衣服、右脚用圧迫衣服、及び体幹用衣服を使用して、圧迫療法を制御し及び／または提供することができる。
【００４３】
更に、コントローラ５２は、コントローラ５２及び／または衣服１００、２００と結合されるか、またはその一部である１つ以上の圧力センサによって測定された１つ以上の圧力に基づいて圧力を制御し得る。例えば、圧力センサは、例えば、複数のチャンバ用のマニホルド、各圧力印加領域、各空気セルまたはチャンバなどにおいて、複数の異なる仕方で圧力を感知するように実装してもよい。例えば、１つ以上の圧力センサを、圧力印加領域１０１、２０１などの、様々な圧迫衣服の圧力印加領域の１つ以上の流体セルに流体を分配するマニホルドの内部に配置してもよい。更に、例えば、１つ以上の圧力センサを、圧力印加領域１０１、２０１に近接する衣服１００、２００の内部に設けてもよい。更にまた、圧力感知装置は、「Ｅｌａｓｔｏｍｅｒｉｃ  Ｐａｒｔｉｃｌｅ  Ｈａｖｉｎｇ  Ａｎ  Ｅｌｅｃｔｒｉｃａｌｌｙ  Ｃｏｎｄｕｃｔｉｎｇ  Ｓｕｒｆａｃｅ，Ａ  Ｐｒｅｓｓｕｒｅ  Ｓｅｎｓｏｒ  Ｃｏｍｐｒｉｓｉｎｇ  Ｓａｉｄ  Ｐａｒｔｉｃｌｅｓ，Ａ  Ｍｅｔｈｏｄ  Ｆｏｒ  Ｐｒｏｄｕｃｉｎｇ  Ｓａｉｄ  Ｓｅｎｓｏｒ  Ａｎｄ  Ａ  Ｓｅｎｓｏｒ  Ｓｙｓｔｅｍ  Ｃｏｍｐｒｉｓｉｎｇ  Ｓａｉｄ  Ｓｅｎｓｏｒｓ」と題する米国特許第９，０２７，４０８号に記載されているように、衣服内の圧力センサを使用する形をとってもよく、またはポンプもしくは制御装置には、「Ｐｒｅｓｓｕｒｉｚｅｄ  Ｍｅｄｉｃａｌ  Ｄｅｖｉｃｅ」と題する米国特許第７，９４７，００３号に記載されているような圧力感知機能（例えば、ポンプ装置の一部としてのチャンバ内の空気の圧力の測定）が備わっていてもよい。これらの米国特許は全て、参照により本明細書に組み込まれる。本明細書に記載された特徴（例えば、センサ）で修正され得る１つ以上の圧迫衣服は、参照により本明細書に援用される「Ｌｙｍｐｈｅｄｅｍａ  Ｔｒｅａｔｍｅｎｔ  Ｓｙｓｔｅｍ」と題する米国特許第６，８６０，８６２号、「Ｌｙｍｐｈｅｄｅｍａ  Ｔｒｅａｔｍｅｎｔ  Ｓｙｓｔｅｍ」と題する米国特許第６，９６６，８８４号、「Ｌｙｍｐｈｅｄｅｍａ  ｔｒｅａｔｍｅｎｔ  ｓｙｓｔｅｍ」と題する米国特許第６，１７９，７９６号、及び「Ｌｙｍｐｈｅｄｅｍａ  ｔｒｅａｔｍｅｎｔ  ｓｙｓｔｅｍ」と題する米国特許第６，６４５，１６５号に見られる１つ以上の特徴に類似していてもよく、その特徴を含んでもよい。
【００４４】
コントローラ５２は、更に、コンピューティング装置５１を含んでもよく、このコンピューティング装置５１は、１つ以上の方法またはプロセスを実行し、１種類以上のメモリで実装される１つ以上のプログラムまたはルーチンを使用する１つ以上のプロセッサを含み得、システム及び／またはその１つ以上の要素を制御する（例えば、圧迫衣服の１つ以上の流体セルへの流体の送達を調節する、圧迫療法の設定、及び／または進行中の圧迫療法の状況確認に使用されるグラフィカルユーザインタフェースを表示する、無線であってもよい通信インタフェースを使用して圧迫服を識別する、１つ以上の圧力印加領域を使用して圧迫療法を提供するなど）ように構成されていると特徴付けられ得る。１つ以上の実施形態では、コンピューティング装置５１は、有線及び／または無線のテクノロジを用いて圧迫システムを制御するように構成してもよい。
【００４５】
本開示に記載された方法及び／または論理及び／または構成は、システム、または様々な構成部品によるものを含めて、少なくとも部分的には、ハードウェア、ソフトウェア、ファームウェア、またはそれらの任意の組み合わせで実装され得る。例えば、本技法の様々な態様は、１つ以上のマイクロプロセッサ、マイクロコントローラ、ＤＳＰ、ＡＳＩＣ、ＦＰＧＡ、または他の何らかの同等の集積論理回路もしくはディスクリート論理回路を含む１つ以上のプロセッサ、及びそのような構成要素の任意の組み合わせ、または他のデバイスの内部に実装されてもよい。「プロセッサ」または「処理回路」という用語は、一般に、単独もしくは他の論理回路と組み合わせた上記の論理回路のいずれか、または他の何らかの同等の回路を指し得る。
【００４６】
そのようなハードウェア、ソフトウェア、及び／またはファームウェアは、本開示に記載される様々な動作及び機能をサポートするように、同じデバイス内に、または別個のデバイス内（例えば、システム内、システム外、または双方の組み合わせ）に実装してもよい。加えて、記載される構成要素のいずれかを、ディスクリートではあるが相互運用可能な論理デバイスとして、一緒にまたは別々に実装してもよい。様々な特徴の説明は、様々な機能上の態様を強調することを目的としており、そのような特徴が、別個のハードウェア構成要素またはソフトウェア構成要素によって実現されなければならないことを必ずしも意味するものではない。むしろ、機能性は、別個のハードウェア構成要素もしくはソフトウェア構成要素によって実施されてもよく、または共通もしくは別個のハードウェア構成要素またはソフトウェア構成要素のうちに統合されてもよい。
【００４７】
ソフトウェアで実装される場合、本開示に記載されるシステム及び方法に帰する機能性は、ＲＡＭ、ＲＯＭ、ＮＶＲＡＭ、ＥＥＰＲＯＭ、ＦＬＡＳＨメモリ、磁気データ記憶媒体、光データ記憶媒体などのコンピュータ可読媒体上の命令及び／または論理として具現化され得る。命令及び／または論理は、本開示に記載される機能性の１つ以上の態様をサポートするために、１つ以上のプロセッサによって実行されてもよい。
【００４８】
更に、コントローラ５２は、複数の流体セルまたはチャンバであり得る複数の圧力印加領域１０１、２０１との間で、流体（例えば、空気）を供給するように、コンピューティング装置５１によって制御され得るポンプ５３を含み得る。例えば、ポンプ５３は、複数の圧力印加領域１０１、２０１に対応する複数の流体セルまたはチャンバに、その複数の流体セルもしくはチャンバへの流体の流れ、またはその複数の流体セルもしくはチャンバからの流体の排除を実現するように、管材料５４、５５によって接続されてもよい。
【００４９】
コントローラ５２の１つの例示的な実施形態が図２に図示されている。図示のように、コントローラ５２は、複数の管接続口６０を含んでもよい。図示のように、コントローラ５２は、４つの管接続口６０を含む、または画定する。しかしながら、いくつかの実施形態は４つを超える管接続口６０を含んでもよく、いくつかの実施形態は４つ未満の管接続口６０を含んでもよいことを理解されたい。管接続口６０のそれぞれは、ホース５４、５５などのホース（または管材料）に動作可能に結合可能であってもよく、ホース５４、５５は圧迫衣服に動作可能に結合されている。ホース５４、５５のそれぞれは、複数の流体ラインを含むことができ、流体ラインのそれぞれは、ホースがそれに対して動作可能に結合されている圧迫衣服の異なる流体セルに動作可能に結合され得る。
【００５０】
コントローラ５２の管接続口６０のそれぞれは、複数の開口部６２を含んでもよく、開口部６２のそれぞれは、それぞれの管接続口６０に動作可能に結合されるホースの流体ラインに動作可能に結合可能であり得る。したがって、圧迫衣服のホースがコントローラ５２の管接続口６０に動作可能に結合されるとき、開口部６２のそれぞれは、圧迫衣服の異なる流体セルに動作可能に結合され得る。
【００５１】
コントローラ５２は、更に、グラフィカルユーザインタフェース８０を表示しまたは描写する表示部７５を含み得る。このグラフィカルユーザインタフェース８０を、図５〜図１１に関して本明細書で更に説明する。コントローラ５２は、更に、ユーザがコントローラ５２と対話して、例えば、治療を設定すること、コントローラ５２を「電源オン」することなどを可能にするように構成された入力装置７９（例えば、複数のボタン）を含み得る。より具体的には、コントローラ５２のコンピューティング装置５１は、入力装置７９から入力を受け取り、出力を表示部７５に送出するように構成され得る。更に、図示していないが、コンピューティング装置５１は、圧迫療法の実施または設定で用いる例示的な方法及び／またはプロセス（例えば、流体セルの充填ルーチンの実施、圧力の測定、流体セルへの流体の送達、圧迫療法の設定、圧迫療法プログラムの保存、通信インタフェースを使用した圧迫衣服の識別、グラフィカルユーザインタフェースの表示、グラフィカルユーザインタフェースとのユーザ対話を可能にすること、グラフィック要素の表示、テキスト要素の表示、テキスト値の表示、オペレータ／ユーザに問題を通知することなど）を実施（または実行）するために使用され得る処理プログラムまたは処理ルーチン及び１つ以上の他種データ（例えば、目標圧力、調節可能マニホルド圧力、圧迫衣服の識別情報、グラフィック領域、グラフィック要素、グラフィックエリア、保存された圧迫療法プログラム、デフォルトの圧迫療法プログラム、増加した圧力値、減少した圧力値、流体セルの基準圧力値、圧迫衣服当たりの基準圧力値、測定基準、変数、画像、値、限度値、テキスト文字列、マクロなど）へのアクセスを可能にすることができるデータ記憶装置を含んでもよい。コンピューティング装置５１は、例えば、入力装置７９及び表示部７５のそれぞれとの間でデータを伝送するために、入力装置７９及び表示部７５に動作可能に結合され得る。例えば、コンピューティング装置５１は、例えば、アナログ電気接続、デジタル電気接続、ワイヤレス接続、バスベースの接続などを使用して、入力装置７９及び表示部７５のそれぞれに動作可能に結合されてもよい。本明細書で更に説明するように、オペレータまたはユーザは、入力装置７９に入力を与えて、表示部７５上に表示される１つ以上のグラフィック要素、グラフィック領域、及びグラフィックエリアの操作または変更を行い、例えば、圧迫療法システムに関連する１つ以上の動作及び／またはプロセスを起動する、圧迫療法システムの１つ以上のプロセスに関連する１つ以上の動作及び／または状況を示すなど行うことができる。
【００５２】
入力装置７９は、本明細書で説明される機能、方法、及び／または論理を実行するために、コンピューティング装置５１に入力を与えることができる任意の装置を含み得る。この実施形態では、入力装置７９は、ユーザが表示部７５上に表示されたグラフィカルユーザインタフェース８０と対話できるような、ユーザが作動可能な複数のボタンを含む。少なくとも１つの実施形態では、このボタンは、グラフィカルユーザインタフェース８０のグラフィック領域、グラフィックエリア、グラフィック要素などを選択するために使用され得る表示またはカーソルを操作することができる。少なくとも１つの実施形態では、ボタンのそれぞれは、例えば、ボタンの選択がグラフィカルユーザインタフェース８０上に表示された対応する「ソフト」ボタンの動作を起動するような、グラフィカルユーザインタフェース８０上に表示される「ソフト」ボタンに対応してもよい。
【００５３】
他の実施形態では、入力装置７９は、タッチスクリーン（例えば、容量性タッチスクリーン、抵抗性タッチスクリーン、マルチタッチ式タッチスクリーンなど）、マウス、キーボード、トラックボールなどを含んでもよい。タッチスクリーンは、例えば、ユーザが、タッチスクリーンを使用して、表示部７５上に表示されたグラフィカルユーザインタフェース８０と（例えば、タッチにより）対話し得るような、表示部７５の一部（例えば、表示部７５を覆うもの）であってもよい。例えば、入力装置７９は、圧迫療法システムの１つ以上の特徴またはプロセスに対応付けられ、その特徴またはプロセスを表す（またはその特徴またはプロセスに対応する）グラフィック要素、グラフィック領域、及びグラフィックエリアを含む（または描写する）グラフィカルユーザインタフェースと、ユーザが対話することを可能にし得る。
【００５４】
表示部７５は、本明細書で説明される機能、方法、及び／または論理を実行するために、グラフィカルユーザインタフェースなど、ユーザに情報を表示することができる任意の装置を含み得る。例えば、表示部７５は、液晶表示装置、有機発光ダイオード画面、タッチスクリーン、ブラウン管ディスプレイ装置などを含んでもよい。本明細書で更に説明するように、表示部７５は、１つ以上のグラフィック領域、グラフィックエリア、及びグラフィック要素を含むグラフィカルユーザインタフェース８０を表示するように構成され得る。
【００５５】
本明細書で使用するとき、グラフィカルユーザインタフェースの「領域」は、情報がその中に表示され得るか、または機能がその中でユーザによって実行され得、及び／または制御され得るグラフィカルユーザインタフェースの一部として画定され得る。領域は他の領域の中に存在してもよく、これらの領域を別々に、または同時に表示させてもよい。例えば、小さな領域を大きな領域内に配置してもよく、領域を並べて配置するなどしてもよい。更に、本明細書で使用するとき、グラフィカルユーザインタフェースの「エリア」は、それが中に位置する領域よりも小さい、領域の中に位置するグラフィカルユーザインタフェースの一部として画定され得る。更にまた、本明細書で使用するとき、グラフィカルユーザインタフェースの「要素」は、領域、エリア、または別の要素の中に配置され得るか、またはこれらに隣接して配置され得る、グラフィカルユーザインタフェースの構成要素として画定され得る。１つ以上の実施形態では、グラフィカルユーザインタフェースの「要素」は、要素の外縁または境界を画定する外周または縁を含んでもよい。１つ以上の実施形態では、グラフィカルユーザインタフェースの「要素」は、グラフィカルユーザインタフェースの画定された有限の部分、アイテム、及び／またはセクションである。
【００５６】
更に、図１に示すように、１つ以上の実施形態では、コントローラ５２は、図１の破線５６によって概して表されるように１つ以上の電線路を介して、及び／または無線信号線によって概して表されるように無線で、圧迫衣服システム５０の１つ以上の構成要素に接続され得る。例えば、コントローラ５２は、物理的電気接続の使用及び／または無線のいずれかで接続して、圧力印加領域（例えば、身体に圧力を加えるように構成される衣服の流体セル及び／または電気的に作動可能な圧力印加領域など）と通信し、圧力印加領域を制御し得る。更に、例えば、コントローラ５２は、図１の無線信号線によって概して表されるように、例えば、圧迫衣服１００、２００と通信するため、ユーザインタフェースデバイス９９と通信するためなどの通信インタフェース５９を更に含んでもよい。通信インタフェース５９は、例えば、ブルートゥース（登録商標）、ＷＩＦＩ、無線自動識別（ＲＦＩＤ）などの様々な無線プロトコルを使用して信号を送受信するためのアンテナを含む無線インタフェースであってもよい。
【００５７】
１つ以上の実施形態では、コントローラ５２は、通信インタフェース５９を使用して圧迫衣服を識別するように構成され得る。例えば、圧迫衣服についてのデータ、または圧迫衣服に関するデータが、通信インタフェース５２を介してコントローラ５２に伝送され得る。そのようなデータには、例えば、シリアル番号または一意的識別子、モデル番号、衣服が有する流体セルの数、圧迫衣服のサイズ、製造年月日、使用有効期限など、圧迫衣服に関する様々な情報が含まれ得る。
【００５８】
コントローラ５２のコンピューティング装置５１は、通信インタフェース５９を介して圧迫衣服に関するデータを受け取ることに応答して、少なくとも圧迫衣服の識別情報に基づいて、圧迫衣服によって実施すべき圧迫療法を設定してもよい。例えば、異なる圧迫衣服は、例えば、異なる圧力、異なる継続時間、異なるポンプ、または流体送達、速度などの異なる圧迫療法設定を利用することができ、コンピューティング装置５１は、識別された圧迫衣服向けの圧迫を調整し、またはカスタマイズすることができる。
【００５９】
更に、１つ以上の実施形態では、コンピューティング装置５１は、圧迫衣服の識別に基づいて、グラフィカルユーザインタフェース８０上でユーザに表示されるものをカスタマイズしてもよい。例えば、脚用衣服が通信インタフェース５９を介してコントローラ５２によって識別された場合、コンピューティング装置５１は、脚用圧迫療法設定のみを、または最初に脚用圧迫療法設定を、ユーザに表示してもよい。このようにして、圧迫療法を設定する前または最中に、ユーザが、コントローラ５２を使用して、使用されている圧迫衣服をコントローラ５２に入力し、またはこの圧迫衣服を選択する必要性をなくすことができる。
【００６０】
圧迫衣服に関するデータは、圧迫衣服自体または別のデバイスから通信インタフェースを介してコントローラ５２に転送され得る。例えば、圧迫衣服は、通信インタフェース５９によって問い合わせられたときに、例えば識別情報などの圧迫衣服に関するデータを通信インタフェース５９に送信する無線タグを含んでもよい。更に、例として、例えば、携帯電話または他のコンピューティングデバイスなどのユーザインタフェースデバイス９９が、圧迫衣服に関するデータを通信インタフェース５９に無線で送信してもよい。このように、ユーザが、自身の携帯電話で実行されているアプリケーションまたはアプリを使用して、コントローラ５２と連結してユーザが圧迫療法に使用する予定である圧迫衣服を、コントローラ５２に指示してもよい。更に、本明細書で説明される例示的なグラフィカルユーザインタフェースのグラフィック領域、グラフィックエリア、及び／またはグラフィック要素は、通信インタフェース５９を介してユーザインタフェースデバイス９９に送信されてもよく、その結果、例えば、ユーザは、本明細書に示されるコントローラ５２のグラフィカルユーザインタフェース８０の様々なグラフィック領域、グラフィックエリア、及びグラフィック要素に示されるのと同じまたはそれと同様にして、例えば、圧迫療法の実施及び設定を行うために、自身のユーザインタフェースデバイス９９を使用して、コントローラ５２を設定し、及び／またはコントローラ５２と対話することができる。言い換えれば、本明細書で説明されるコントローラ５２のグラフィカルユーザインタフェース８０のグラフィック領域、グラフィックエリア、及びグラフィック要素は、ユーザが自身のユーザインタフェースデバイス９９（例えば、携帯電話など）と対話して、圧迫療法の設定、圧迫療法の開始、圧迫療法の停止または休止などを行うことができるように、ユーザのユーザインタフェースデバイス９９に無線で伝送され得る。
【００６１】
衣服１００、２００の圧力印加領域１０１、２０１は、圧力印加領域１０１、２０１がコントローラ５２の制御下にあるために、制御可能であると特徴付けられ得る。したがって、システム５０は、コントローラ５２を使用して、例えば、身体１０の１つまたは複数の脚１２、１３から体幹または胴体２５へ、身体１０の体幹または胴体２５から１つまたは複数の脚１２、１３へなど、リンパ液が所望の方向に身体１０全体にわたって流れるように、衣服１００、２００を着用している個人（例えば、患者）に圧迫療法を提供する構成となっていてもよい。つまり、例えば、多様な順序で圧力印加領域１０１、２０１を制御する（例えば、予め決められた通りに圧力を加える）ことによって、リンパ液が、概して身体１０の脚１２、１３及び体幹下部から身体１０の体幹上部へ向かって流れるようにしてもよい。脚１２，１３から身体１０の体幹２５へのリンパ流の方向は、脚１２，１３から余分のリンパ液を移動させ、最終的には、そのようなリンパ液を、例えば、右腕下領域に近接してある右腋窩結節、及び左腕下領域に近接してある左腋窩結節などの、体幹２５の１つ以上の領域へ向けて移動させること、及び体幹２５の１つ以上の領域に移動させることによって、個人に苦痛の緩和をもたらすことができる。
【００６２】
体幹及び脚用衣服１００、２００の圧力印加領域１０１、２０１は、常圧値、もしくは第１の圧力値を提供するか、または圧上昇値、もしくは第２の圧力値を提供するかのいずれかであると特徴付けられ得る（例えば、圧上昇値、または第２の圧力値は、常圧値、または第１の圧力値よりも大きい）。少なくとも１つの実施形態では、体幹及び脚用衣服１００、２００の圧力印加領域１０１、２０１の第１の圧力値、または常圧値は、（大気圧に対して）約０ｍｍＨＧ、約１０ｍｍＨＧ、約２０ｍｍＨＧ、約３０ｍｍＨＧ、約５０ｍｍＨＧ、約６０ｍｍＨＧなどであり、体幹及び脚用衣服１００、２００の圧力印加領域１０１、２０１の第２の圧力値、または圧上昇値は、（大気圧に対して）約３０ｍｍＨＧ、約４０ｍｍＨＧ、約４５ｍｍＨＧ、約５０ｍｍＨＧ、約７０ｍｍＨＧ、約１００ｍｍＨＧなどである。例えば、体幹及び脚用衣服１００、２００の圧力印加領域１０１、２０１の第１の圧力値、または常圧値は、約０ｍｍＨｇ以上、約５ｍｍＨｇ以上、約１０ｍｍＨｇ以上、約２０ｍｍＨｇ以上、約３０ｍｍＨｇ以上、約４０ｍｍＨｇ以上、約５０ｍｍＨｇ以上、約６０ｍｍＨｇ以上などであってよい。更に、例えば、体幹及び脚用衣服１００、２００の圧力印加領域１０１、２０１の第１の圧力値、または常圧値は、約８０ｍｍＨｇ以下、約７０ｍｍＨｇ以下、約５５ｍｍＨｇ以下、約４５ｍｍＨｇ以下、約３５ｍｍＨｇ以下などであってよい。例えば、体幹及び脚用衣服１００、２００の圧力印加領域１０１、２０１の第２の圧力値、または圧上昇値は、約２０ｍｍＨｇ以上、約４０ｍｍＨｇ以上、約５０ｍｍＨｇ以上、約６０ｍｍＨｇ以上、約７０ｍｍＨｇ以上、約８０ｍｍＨｇ以上、約９０ｍｍＨｇ以上、約１０５ｍｍＨｇ以上、約１２０ｍｍＨｇ以上、約１４０ｍｍＨｇ以上、約１６０ｍｍＨｇ以上、約１９０ｍｍＨｇ以上などであってよい。例えば、体幹及び脚用衣服１００、２００の圧力印加領域１０１、２０１の第２の圧力値、または圧上昇値は、約３００ｍｍＨｇ以下、約２５０ｍｍＨｇ以下、約２００ｍｍＨｇ以下、約１７５ｍｍＨｇ以下、約１５０ｍｍＨｇ以下、約１３０ｍｍＨｇ以下、約１１０ｍｍＨｇ以下、約１００ｍｍＨｇ以下、約９５ｍｍＨｇ以下、約８５ｍｍＨｇ以下、約７５ｍｍＨｇ以下、約６５ｍｍＨｇ以下、約４５ｍｍＨｇ以下、約３０ｍｍＨｇ以下などであってよい。
【００６３】
例示的な圧迫衣服コントローラ５２の一実施形態が、図３に図式的に示されている。図示のように、コントローラ５２は、コンピューティング装置５１に動作可能に結合されたポンプ７０を含むことができ、例えば、流体を圧迫衣服の１つ以上の流体セルに送達するように、コンピューティング装置５１がポンプ７０の動作を制御できるようにする。
【００６４】
コントローラ５２は、更に、ポンプ７０に動作可能に結合されて、そこから流体（例えば、空気）を受け取り、コンピューティング装置５１に動作可能に結合されて、（例えば、コンピューティング装置５１がマニホルドを制御できるような）制御情報を受け取るマニホルド７２を含み得る。一般に、マニホルド７２は、それに接続された１つ以上の圧迫衣服の流体セルのどれが流体を受け取るかを選択するように、設定可能または動作可能であり得る。そのために、マニホルド７２は、コンピューティング装置５１によって制御される複数のバルブを含んでもよい。複数のバルブは、複数の管接続口６０のうちのどの管接続口６０がポンプ７０に動作可能に結合されて、そこから流体を受け入れるかを選択することができ、更に、選択された管接続口６０の複数の開口部６２のうちのどの開口部６２がポンプ７０に動作可能に結合されて、そこから流体を受け入れるかを選択することができる。言い換えれば、マニホルド７２の複数のバルブを使用して、管接続口６０の１つ以上を選択し、次に、それらの選択した管接続口６２の１つ以上の開口部６２を選択して、ポンプ７０から流体を受け入れることができる。このようにして、コンピューティング装置５１は、管接続口６０及び開口部６２を介してコントローラ５２に動作可能に結合される、圧迫衣服のいずれかの流体セルを制御することができる。図３に示すように、管接続口６０のうちの１つの管接続口６０の単一の開口部６２が、そこに延びる実線で示されるようにマニホルド７２のバルブを使用して選択され、一方、他の管接続口６０及び開口部６２は、そこに延びる点線を有する（例えば、マニホルド７２のバルブがそれらの流体管路を閉じていることを示す）。更に、管接続口６０のうちの１つだけが、複数の開口部６２を含むように示しているが、管接続口６０のそれぞれが、例えば、図２に示すように、複数の開口部を含み得ることを理解されたい。更に、図示していないが、マニホルドは、例えば、マニホルド７２に動作可能に結合された１つ以上の流体セルから流体を放出するために、（例えば、１つ以上のバルブを介して）選択的に通気し得ることを理解されたい。このように、マニホルド７２は、管接続口６０及びその開口部６２を介して、複数の流体セルのそれぞれを動作可能に充填し、または空にするために使用され得る。
【００６５】
コントローラ５２は、更に、マニホルド７２内に配置されて、その中の圧力を測定する圧力センサ７４を含み得る。管接続口６０の単一の開口部６２が選択されて、その結果、マニホルド７２が、その単一の開口部６２に動作可能に結合され、したがってその開口部６２に結合された圧迫衣服の単一の流体セルにもマニホルド７２が動作可能に結合される場合、圧力センサ７４は、流体セルの圧力を効果的に測定することができる。更に、圧力センサ７４は、ポンプ７０が作動している間、またはポンプ７０が停止している間に、圧力値を測定するように構成されてもよい。このようにして、ポンプ７０から流体セルへの流体の送出時に、マニホルド７２から圧力値を測定することができ、そのような値を用いて、ポンプ７０から流体セルへの流体の送出をいつ止めるか（例えば、流体セル内で所望の圧力を達成するために、ポンプ７０をいつ「オフ」にするのか）を判定することができる。次いで、ポンプ７０から流体セルへの流体の送出後、ポンプ７０が流体セルに流体を送出していないときに、（例えば、ポンプ７０が作動すること、またはポンプ７０が流体を送出することに影響されない）流体セルの「実際の」圧力を測定するために、マニホルド７２から圧力値を測定してもよい。本明細書では、図３を参照して単一の圧力センサ７４を説明しているが、本明細書で説明する例示的なシステム、装置、及び方法は、様々な位置に配置された任意の数の圧力センサを使用し、または利用して、流体送出時または流体送出が終わったときに、複数の重複した圧力値、または相違した圧力値を測定し得ることを理解されたい。
【００６６】
圧迫衣服の流体セルに流体を送達する例示的な方法３００のフローチャートを図４に示す。例示的な方法３００は、単一の流体セルを充填すること、または単一の流体セルに流体を供給することに関して説明されるが、方法３００は、図１の圧迫衣服１００、２００などの圧迫衣服の複数の流体セルの各流体セルを充填するために、またはそれらの各流体セルに流体を送達するために使用できることを理解されたい。
【００６７】
圧迫衣服の複数の流体セルの、それぞれの流体セルに、目標圧力及び調節可能マニホルド圧力を供給し、またはこれらを使用し得る。目標圧力は、流体セルの所望の圧力であり得、調節可能マニホルド圧力は、目標圧力を達成するために、ポンプからの流体の送出を停止する時期を判定するのに用いられる圧力値であり得る。更に、目標圧力は、例えば、約５％の許容誤差を含み得ることを理解されたい。他の実施形態では、許容誤差は、約０．５％以上、約１％以上、約２％以上、約３％以上、約６．５％以上など、及び／または約１０％以下、約７．５％以下、約６％以下、約４％以下、約３．５％以下、約２．５％以下などであってもよい。したがって、この例では、目標圧力の選択されたパーセントの範囲内の測定された圧力が、目標圧力を「満たす」または達成すると判定されることになる。更に、目標圧力の選択されたパーセントより低く測定された圧力が、目標圧力より低いと判定され、逆に、目標圧力の選択されたパーセントより高く測定された圧力が、目標圧力より高いと判定される。
【００６８】
例示的な方法３００は、流体がマニホルドに、そして、次いで圧迫衣服の流体セルに送達されるように、ポンプを「作動させる」こと（３０２）、及びマニホルド内の圧力が、調節可能マニホルド圧力に適合し、または到達したときに、ポンプを「止める」こと（３０４）を含み得る。ポンプがマニホルドへの流体の送出を停止した後に（例えば、ポンプが「止められている」間）、マニホルド内の圧力が再び測定され、目標圧力に対して比較され、または目標圧力と比較される。測定された圧力が目標圧力未満である場合（３０６）、方法３００は、調節可能マニホルド圧力を増加させ（３０８）、ポンプを再び「作動させる」こと（３０２）により、ポンプを介した流体の送出を再開させることができる。本明細書で述べた通り、目標圧力は、例えば５％の許容誤差を有してもよく、したがって、プロセス３０６を満たすために、測定された圧力は、目標圧力の５％未満であり得る。前述同様に、次に、方法３００は、マニホルド内の圧力が新規調節可能マニホルド圧力に適合し、または到達したときに、ポンプを「止める」こと（３０４）ができる。
【００６９】
ポンプが「止められた」ときに測定された圧力が目標圧力よりも大きい（例えば、目標圧力の５％よりも大きい）場合（３０８）、調節可能マニホルド圧力を減少させてもよく（３１４）、流体セルの充填を完了させることができる。この実施形態に示すように、方法３００は、プロセス３１４で終わり、または停止にしてもよく、調節可能マニホルド圧力が減らされているにもかかわらず、流体セル及びマニホルドから流体が排除されることはない。その代わりに、新たに減少させた調節可能マニホルド圧力が、次の膨張サイクル時に使用されるようになる。
【００７０】
更に、図のように、ポンプが「止められた」ときに測定された圧力が目標圧力よりも大きく（例えば、目標圧力の５％よりも大きく）ない場合（３０８）、調節可能マニホルド圧力を変更させなくともよく（３１２）、流体セルの充填を完了させることができる。
【００７１】
したがって、方法３００は、例えば、マージンの範囲内で、目標圧力を達成するのに必要とされ得る調節可能マニホルド圧力を「学習」するように構成された学習アルゴリズムまたは学習プロセスであると特徴付けられ得る。例えば、各流体セルの調節可能マニホルド圧力を、将来の膨張サイクル時及び将来の治療セッション時に使用できるように、各流体セルの調節可能マニホルド圧力は、コントローラ５２によって保存されてもよい。
【００７２】
本明細書で説明するように、圧迫衣服は、複数の流体セルを含んでもよく、流体セルのそれぞれが、互いに異なるサイズを画定してもよく、流体セルのそれぞれが、ユーザの身体の異なる部位または領域の周りに配置されてもよい。いくつかの実施形態では、単一の圧迫衣服または複数の圧迫衣服の流体セルの１つ以上が、異なる目標圧力を含んでもよい。このようにして、いくつかの流体セルは、他の流体セルとは異なる目標圧力及び調節可能マニホルド圧力を用いた、本明細書で説明する充填方法３００を使用して加圧され得る。更に、圧迫衣服の各流体セルに対応付けられた調節可能マニホルド圧力を、方法３００によってカスタマイズしてもよい。
【００７３】
更に、流体が流体セルに送達される速度は、圧迫衣服ごとに、及び／または流体セルごとに異なり得る。例えば、いくつかの流体セルが、他の流体セルよりも遅い充填速度を利用してもよく（例えば、流体がより低速で送達されるように、ポンプを「より遅く動作」させることができる）、いくつかの流体セルが、他の流体セルよりも速い充填速度を利用してもよい（例えば、流体がより高速で送達されるように、ポンプを「より速く動作」させることができる）。更に、特定の衣服の全ての流体セルまたは流体セルのサブセットが、同じまたは別の衣服の全ての流体セルまたは流体セルのサブセットよりも、遅い充填速度または速い充填速度を利用してもよい。例えば、頭部用圧迫衣服が、例えば、脚用圧迫衣服または体幹用圧迫衣服などの他の圧迫衣服に比べて遅い充填速度を利用してもよい。第１の圧迫衣服に流体を送達するのに第１の速度を使用してもよく、第２の圧迫衣服に流体を送達するのに第２の速度を使用してもよく、第１の速度が第２の速度と異なっていることを特徴付けることができる。
【００７４】
本明細書に記載される例示的な圧迫療法システム及び方法によって、様々なグラフィカルユーザインタフェース及び入力装置が利用され得る。本明細書で説明するように、コントローラ５２の表示部７５は、図５に示すようなグラフィカルユーザインタフェース８０を描写してもよい。コントローラ５２は、更に、例えば、ユーザがグラフィカルユーザインタフェース８０と対話して、例えば、治療を設定し、コントローラ５２の「電源を入れる」または「作動させる」など行うことができるような、グラフィカルユーザインタフェース８０及び／または表示部７５に近接した入力装置７９を含んでもよい。より具体的には、入力装置７９は、コントローラ５２を「作動させる」及び「止める」ための電源ボタン９１、以前に表示したグラフィック領域に戻るための「戻る」ボタン９２、グラフィカルユーザインタフェース８０上のメニューまたは複数のグラフィック領域、グラフィックエリア、またはグラフィック要素を上方向に移り渡るためのアップメニューボタン９３、グラフィカルユーザインタフェース８０上のメニューまたは複数のグラフィック領域、グラフィックエリア、またはグラフィック要素を下方向に移り渡るためのダウンメニューボタン９４、ならびにグラフィカルユーザインタフェース８０の表示された、または強調表示されたグラフィック領域、グラフィックエリア、またはグラフィック要素を選択するためのエンター（ＥＮＴＥＲ）ボタン９５を含んでもよい。
【００７５】
図５〜図６に示すような１つの例示的なグラフィカルユーザインタフェース８０は、少なくとも、人間形グラフィック要素８２と、例えば、コントローラ５２に動作可能に結合された圧迫衣服などの圧迫療法装置による圧迫療法の実施が可能な位置、またはその圧迫療法装置によって圧迫療法が実施されている位置を示す、人間形グラフィック要素８２上の圧迫療法グラフィック表示８４とを含み得る。人間形グラフィック要素８２には、人間の形態を表現する任意のグラフィック描写が含まれ得る。この例では、人間形グラフィック要素８２は、特徴のない、網掛けされている立っている人間の輪郭である。他の実施形態では、人間形グラフィック要素８２は、図５〜図６に示すよりも多くの特徴、または少ない特徴を含む場合がある。例えば、人間形グラフィック要素８２は、色や顔などの特徴を含んでもよい。一例では、人間形グラフィック要素８２は、「棒線画」（胴体、脚、腕、首を表す単線と、頭部を表す単線の円とを含む）であってもよい。別の例では、人間形グラフィック要素８２は、人間または患者の写真であってもよい。
【００７６】
圧迫療法グラフィック表示８４は、ユーザに提示されまたは表示されたときに、圧迫療法が適用される場所、または圧迫療法が適用されている場所を伝えることになる任意のグラフィック描写を人間形グラフィック要素８２の周りに含み得る。圧迫療法のグラフィック表示８４は、人間形グラフィック要素８２の周りに圧迫療法を示すために、様々な色、アニメーション、輪郭、陰影などを含んでもよい。
【００７７】
この例では、圧迫療法グラフィック表示８４は、人間形グラフィック要素８２の周りの暗い、または網掛けされている領域である。図示のように、暗い、または網掛けされている領域は、人間形グラフィック要素８２の左脚、体幹下部領域、及び右上脚領域を覆って、コントローラ５２の圧迫療法が、現在、図１に示すように、ユーザの身体の周りに着用された体幹用衣服１００及び左脚用衣服２００を対象にして設定されていることを示す。このようにして、ユーザは、ユーザがどの衣服を着用するか、及び／または現在どの療法がコントローラ５２上に設定されているかを、迅速かつ容易に確認しまたは把握することができる。
【００７８】
より具体的かつ図６〜図１１のグラフィカルユーザインタフェース８０に示すように、人間形グラフィック要素８２は、例えば、左脚、右脚、体幹領域、胴体または胸部領域、左腕領域、右腕領域、胸部と左腕の領域、胸部と右腕の領域、首領域、及び頭部領域などの複数の身体領域を含むもの、または画定するものと特徴付けられ得る。圧迫療法グラフィック表示８４は、圧迫療法がそこに送達可能であることを示すために、そのような身体領域の少なくとも１つの身体領域上に表示されてもよく、またはその周りに示されてもよい。
【００７９】
ユーザがボタン９１を作動させることによって、コントローラ５２が「作動する」または「電源が入る」とき、グラフィカルユーザインタフェース８０は、図６Ａ〜図６Ｃに示すように、導入グラフィック領域３５０を表示し得る。導入グラフィック領域３５０は、状況メッセージ３５２を含んでもよい。この実施形態に示すように、状況メッセージ３５２は、「ようこそ−治療を開始する準備ができました」と表示される。
【００８０】
導入グラフィック領域３５０は、３つの選択可能なグラフィックエリア、すなわち、デフォルト治療グラフィックエリア３５４、治療選択グラフィックエリア３５６、及びデバイス状況表示グラフィックエリア３５８を示す。デフォルト治療グラフィックエリア３５４を選択する（デフォルト治療グラフィックエリア３５４は、入力装置７９を使用して選択してもよく、またはより具体的には、上下メニューボタン９３、９４を使用してデフォルト治療グラフィックエリア３５６を指定し、または強調表示させ、エンターボタン９５を使用して、デフォルト治療グラフィックエリア３５４を選択する）と、デフォルトの、または保存された圧迫療法設定がロードされ得、そのような圧迫療法が始まり得る。図６Ａには、単一のデフォルト治療グラフィックエリア３５４を示すが、（例えば、コントローラに保存されているデフォルトのまたは保存された圧迫療法設定の数に応じて）複数のデフォルト治療グラフィックエリア３５４を導入グラフィックエリア３５０上に示してよいことを理解されたい。図６Ａに示すように、デフォルト治療グラフィックエリア３５４は、「Ｌ１全脚及び胴  ６０分」がデフォルトのまたは保存された圧迫療法であり、したがって、その選択がそのような治療をロードして開始することを示す。更に、圧迫療法グラフィック表示８４は、デフォルトのまたは保存された圧迫療法に対応して、人間形グラフィック要素８２の左脚及び体幹の周りに配置される。したがって、ユーザは、デフォルトのまたは保存された圧迫療法が、身体のどの部分に圧迫療法を提供するかを素早くイメージすることができる。ユーザがデフォルト治療グラフィックエリア３５４を選択した場合、コントローラ５２はそのような治療を開始し、本明細書で後に説明される、図７Ａの治療状況グラフィック領域３６５を表示してもよい。
【００８１】
治療選択グラフィック領域３５６を選択すると、図８〜図１１に関して本明細書に示しかつ説明するように、治療設定グラフィック領域３８０が、グラフィカルユーザインタフェース８０上に表示され得る。更に、デバイス状況表示グラフィックエリア３５８を選択すると、例えば、ソフトウェアのバージョン、デバイスの状況、様々なセルフテストなど、デバイスの状況及び設定に関する情報を示すグラフィック領域が、グラフィカルユーザインタフェース８０上に示され得る。
【００８２】
導入グラフィック領域３５０の別の実施形態を、図６Ｂ〜図６Ｃに示す。この実施形態では、デフォルト治療グラフィック領域３５４は、「Ｌ１全脚及び胴＋Ｌ６足のみ  ７６分」がデフォルトのまたは保存された圧迫療法であることを示す。このようなデフォルトのまたは保存された圧迫療法には、圧迫療法の２つのプロセスまたはステップ、すなわち、「Ｌ１全脚及び胴」圧迫療法プログラムと「Ｌ６足のみ」圧迫療法プログラムとが含まれ、これらは順次（例えば、相次いで、「連続して」など）実行される。それに応じて、圧迫療法グラフィック表示８４は、この例では、図６Ｂに示す人間形グラフィック要素８２の脚及び体幹の周りに配置されている圧迫療法グラフィック表示８４と、図６Ｃに示す人間形グラフィック要素８２の足との間の点滅により、療法の圧迫療法プログラムを示し得る。このようにして、ユーザは、デフォルトのまたは保存された治療設定に、２つの治療プログラムが含まれていることを素早くイメージすることができる。つまり、第１の治療プログラムが、ユーザの左脚及び体幹の周りに圧迫療法を提供し、第２の治療プログラムが、ユーザの左足の周りに圧迫療法を提供する。図６Ｂ〜図６Ｃに示すように、逐次実行される複数の圧迫療法プログラムの圧迫療法グラフィック表示８４は、一実施形態に過ぎず、このような複数の圧迫療法プログラムが逐次実行されていることを示す他の様式が、本開示によって検討されることを理解されたい。例えば、圧迫療法グラフィック表示８４が２つの治療プログラムの間で「点滅」する代わりに、圧迫療法グラフィック表示８４は、人間形グラフィック要素８２の周りに表示され得る２つの区別可能な表示（例えば、異なる色、異なる陰影、異なるアニメーションなど）を含んでもよい。
【００８３】
図７Ａ〜図７Ｃには、治療状況グラフィック領域３６５が示され、これは、ユーザが患者に実施されている圧迫療法に関する状況情報を見ることができるようにするために、圧迫療法プログラムの実行中にグラフィカルユーザインタフェース８０上に示される。図示のように、グラフィカルユーザインタフェース８０は、人間形グラフィック要素８２と、現在進行中の圧迫療法プログラムの圧迫療法がどこに提供されているか、または提供される予定であるかを示す人間形グラフィック要素８２の周りの圧迫療法グラフィック表示８４とを引き続き含むか、または描写する。図７Ａに示すように、進行中の圧迫療法プログラムは、「Ｌ１全脚及び胴−通常−１サイクル」であり、これは、状況メッセージ３５２として記載され、または描かれている。
【００８４】
更に、治療状況領域３６５は、圧迫療法の１サイクル以上のサイクルの残り時間を示す治療期間エリア３６６を含む。図示のように、治療期間エリア３６６は、圧迫療法プログラムが完了するまでに６０分残っていることを示している。
【００８５】
更に、治療状況グラフィック領域３６５は、ユーザが、実施されている圧迫療法の休止、停止、再開、または修正を行うことを可能にするためのアクションエリア３６７を含む。例えば、図７Ａに示すように、ユーザがアクションエリア３６７の「休止」グラフィック要素３６８を選択する場合には、治療プログラムが休止され得（例えば、ポンプが流体セルへの流体の送達を停止し得る）、図７Ｂの治療状況グラフィック領域３６５が描かれ得る。
【００８６】
治療が休止されると、図７Ｂの治療状況グラフィック領域３６５のアクションエリア３６７は、ユーザに複数の選択項目を提供してもよい。図示するように、図７Ｂのアクションエリア３６７には、３つのグラフィック要素、すなわち、選択すると圧迫療法プログラムが再開され、また、グラフィカルユーザインタフェース８０上の図７Ａの治療状況グラフィック領域３６５の表示に戻る「治療の再開」グラフィック要素３６９、選択すると圧迫療法プログラムが停止し、図６Ａの導入グラフィック領域３５０のグラフィカルユーザインタフェース８０上の表示に戻る「治療の停止」グラフィック要素３７０、及び本明細書で後述する図１２Ａ〜図１２Ｃに示されているような、選択するとユーザが、現在の圧迫療法プログラムの圧力を変更できるようになる（このことについては、本明細書で後述する）「圧力の変更」グラフィック要素３７１が表示されまたは描写されている。
【００８７】
圧迫療法プログラムが完了すると、治療状況グラフィック領域３６５は、図７Ｃに示すように、選択するとユーザが図６Ａの導入グラフィック領域に戻る「ホーム画面に戻る」グラフィック要素３７２をアクションエリア３６７内に描写してもよい。
【００８８】
図８〜図１１に示すように、治療設定グラフィック領域３８０をグラフィカルユーザインタフェース８０上に表示させて、ユーザに提供すべき圧迫療法を、より具体的には圧迫療法プログラムを、ユーザが設定できるようにすることができる。一般に、治療設定グラフィック領域３８０は、ユーザが、１つ以上の身体領域のいずれかと、選択した身体領域のうちのいずれかの身体部位とを選択して、そこに治療を施すことができるようにすること、ならびに様々な圧迫治療設定の設定を可能にすると特徴付けることができる。
【００８９】
図８に示すように、治療設定グラフィック領域３８０は、患者の１つ以上の身体領域のうちのどの身体領域に圧迫療法を施すかを選択するために、ユーザによって選択可能な複数の選択可能治療領域３８２を含む。治療設定グラフィック領域３８０は、「頭頸部  Ｈ１−Ｈ３」治療領域３８２、「上半身  Ｕ１−Ｕ７」治療領域３８２、及び「下半身  Ｌ１−Ｌ８」治療領域３８２を含むか、または描写する。治療領域３８２のうちの１つの治療領域３８２の選択により、選択された治療領域に対する圧迫療法プログラムの設定が開始される。例えば、「頭頸部  Ｈ１−Ｈ３」治療領域３８２の選択により、図９に示すように、頭頸部圧迫療法プログラムの設定が開始される。更に、例えば、「上半身  Ｕ１−Ｕ７」治療領域３８２の選択により、図１０に示すように、上半身圧迫療法プログラムの設定が開始される。そして更にまた、例えば、「下半身  Ｌ１−Ｌ８」治療領域３８２の選択により、図１１Ａ〜図１１Ｆに示すように、下半身圧迫療法プログラムの設定が開始される。
【００９０】
更に、図示のように、人間形グラフィック要素８２と、人間形グラフィック要素８２の周りに描かれた圧迫療法グラフィック表示８４とがまた、治療設定グラフィック領域３８０と共にグラフィックユーザインタフェース８０上に表示される。したがって、ユーザが、選択可能な治療領域３８２のうちの１つの治療領域３８２を選択する（例えば、上下のメニューボタン９３、９４を使用して、所望の治療領域３８２を示し、または強調表示させる）のに先立って、それを表示させ、または強調表示させるときに、圧迫療法グラフィック表示８４は、表示され、または強調表示された治療領域３８２に対応するようになる。例えば、図８に示すように、「頭頸部  Ｈ１−Ｈ３」治療領域３８２（例えば、他の治療領域３８２よりも暗い網掛け）が示され、したがって、頭頸部用の圧迫療法プログラムがユーザの胴体及び／または頭部に圧迫療法を提供することを示す圧迫療法グラフィック表示８４が、人間形グラフィック要素８２の胴体及び頭部の周りに描かれている。同様に、ユーザが別の治療領域３８２を表示させ、または強調表示させた場合に、圧迫療法グラフィック表示８４は、圧迫療法がそのような治療領域に適用されるか、または適用され得る身体領域を示すように、それに応じて、表示されたまたは強調表示された治療領域３８２を反映する。
【００９１】
「頭頸部  Ｈ１−Ｈ３」治療領域３８２を選択後の治療設定領域３８０を図９に示す。図示のように、複数の選択可能な治療部位３８４が、患者の１つ以上の身体部位を選択して、そこに圧迫療法を提供するために、ユーザによって選択可能な治療設定領域３８０上に示される。そうした身体部位は、選択された身体部分のサブセットである。例えば、「頭頸部  Ｈ１−Ｈ３」治療領域３８２が図８で選択されたので、選択可能な治療部位３８４は、「Ｈ１頭首及びベスト」、「Ｈ２頭のみ」、及び「Ｈ３ベストのみ」を含み、これらのそれぞれが頭頸部圧迫療法を提供するように構成されている。
【００９２】
選択可能な治療部位３８４のそれぞれは、それに伴う時間周期または継続時間を含み、または描写し、これは、選択可能な治療部位３８４に割り当てられた圧迫療法プログラムの期間である。図示のように、「Ｈ１頭首及びベスト」の治療部位３８４に関連付けられた圧迫療法プログラムは、３２分の継続時間を有し、「Ｈ２頭のみ」の治療部位３８４に関連付けられた圧迫療法プログラムは、１３分の継続時間を有し、「Ｈ３ベストのみ」の治療部位３８４に関連付けられた圧迫療法プログラムは、１２分の継続時間を有する。
【００９３】
「上半身  Ｕ１−Ｕ７」治療領域３８２を選択後の治療設定領域３８０を図１０に示す。図示のように、複数の選択可能な治療部位３８４が、患者の１つ以上の身体部位を選択して、そこに圧迫療法を提供するために、ユーザによって選択可能な治療設定領域３８０上に示される。図８において、「上半身」治療領域３８２が選択されたので、選択可能な治療部位３８４は、「Ｕ１全腕及び胴」、「Ｕ２体幹のみ」、「Ｕ３体幹及び胸」、「Ｕ４腕肩」、「Ｕ５前腕及び手」、「Ｕ６手のみ」、及び「Ｕ７全腕」を含み、これらのそれぞれが上半身圧迫療法を提供するように構成されている。更に、頭頸部治療に関しての図９の治療設定領域３８０と同様に、選択可能な治療部位３８４のそれぞれは、それに伴う時間周期または継続時間を含み、または描写し、人間形グラフィック要素８２の周りの圧迫療法グラフィック表示８４は、表示されまたは強調表示された治療部位３８４に応じて移動する。
【００９４】
「下半身」治療領域３８２を選択後の治療設定領域３８０を図１１Ａに示す。図示のように、複数の選択可能な治療部位３８４が、患者の１つ以上の身体部位を選択して、そこに圧迫療法を提供するために、ユーザによって選択可能な治療設定領域３８０上に示される。図８において、「下半身」治療領域３８２が選択されたので、選択可能な治療部位３８４は、「Ｌ１全脚及び胴」、「Ｌ２体幹のみ」、「Ｌ３体幹及び大腿部」、「Ｌ４全脚プラス」、「Ｌ５半脚プラス」、「Ｌ６足のみ」、「Ｌ７半脚」、及び「Ｌ８全脚」を含み、これらのそれぞれが下半身圧迫療法を提供するように構成されている。更に、頭頸部治療及び上半身治療に関しての図９〜図１０の治療設定領域３８０と同様に、選択可能な治療部位３８４のそれぞれは、それに伴う時間周期または継続時間を含み、または描写し、人間形グラフィック要素８２の周りの圧迫療法グラフィック表示８４は、表示されまたは強調表示された治療部位３８４に応じて移動する。
【００９５】
「Ｌ１全脚及び胴」治療部位３８４の選択後、治療設定領域３８０は、図１１Ｂに示すように、選択治療部位の更なるサブセットであり得る、複数の治療位置３８６を描写し得る。より具体的には、図示のように、左脚に圧迫療法を提供する「左」の治療位置３８６、右脚に圧迫療法を提供する「右」の治療位置３８６、及び両脚に圧迫療法を提供する「両側」の治療位置３８６が、治療設定領域３８０内に描かれている。
【００９６】
治療設定領域３８０は、更に、図１１Ｃに示すように、圧迫療法のための圧力の増加、減少、または維持のために、ユーザによって選択可能な複数の治療圧変化領域３８８を示してもよい。各治療圧変化領域３８８は、例えば、約１％、約２％、約４％、約５％、約７％、約１０％、約１５％などの例えば選択されたパーセントなどで選択された量の分だけ、デフォルトの圧力、または以前に使用された圧力を増加させ、または減少させることができる。更に、ユーザが、上限または下限を超えて治療圧を増減できないように、制限が設定されていてもよい。更に、治療設定領域３８０は、圧迫療法のサイクル数を選択するために、ユーザによって選択可能な複数の治療サイクル領域３９０を更に示してもよい。
【００９７】
圧迫療法プログラムの設定が完了すると、図１１Ｅに示すように、治療設定領域３８０は、セットアップ完了選択可能グラフィック領域３９２と、別治療の追加を選択可能なグラフィック領域３９４とを示してもよい。別治療の追加を選択可能なグラフィック領域３９４を選択すると、図８の治療設定領域３８０が描かれ、それによってユーザは、現在設定されている圧迫療法に続いて順次に実行できる別の圧迫療法の設定を開始することができる。
【００９８】
少なくとも１つの実施形態では、セットアップ完了選択可能グラフィック領域３９２を選択すると、治療設定領域３８０は、図１１Ｆに示すように、選択時にユーザが、現在設定されている圧迫療法を、図６Ａ〜図６Ｃに示す導入グラフィック領域３５０上に表示されるように保存することを可能にする、複数の保存グラフィック領域３９６を示してもよい。言い換えれば、ユーザは、後で簡単にアクセスして読み出すことができる１つ以上のプリセット、またはデフォルトの圧迫療法を保存することができる。
【００９９】
少なくとも１つの実施形態では、コントローラ５２は、ユーザが最初にコントローラ５２を受け取ったときに、ユーザのために、デフォルトの圧迫療法プログラムが既にプリセットされて「準備完了」であるように、特定のユーザのためにプリセットされたデフォルトの圧迫療法プログラムを含んでもよい。少なくとも１つの実施形態では、そのようなデフォルトの圧迫療法プログラムは、コントローラ５２から削除または除去が行えないようにしてもよい。この実施形態では、保存された圧迫療法プログラムの除去及び／または上書きは行い得る一方で、デフォルトの圧迫療法プログラムは除去または上書きができないので、デフォルトの圧迫療法プログラムは、保存された圧迫療法プログラム（例えば、保存グラフィック領域３９６を使用して保存されたプログラム）と区別され得る。少なくとも１つの実施形態では、デフォルトの圧迫療法プログラムは、ユーザの医師によって処方された処方箋に従ってもよい。
【０１００】
少なくとももう１つの実施形態では、セットアップ完了選択可能グラフィック領域３９２を選択した時点で、圧迫療法が始まり、図７Ａに示されるのと同様の治療状況グラフィック領域３６５が、グラフィカルユーザインタフェース８０上に示されてもよい。
【０１０１】
治療設定領域３８０の別の実施形態は、図１２Ａ〜図１２Ｃに示すように、圧力療法プログラムを設定するためにユーザによって選択可能な複数の治療圧変化領域３８８を描写する。例えば、現在の治療プログラムの圧力は、その構成要素のそれぞれに対して初期圧力が設定され得るように（例えば、基本設定）、減少、標準、及び増加の間を変更され得る（例えば、図１２Ａ〜図１２Ｃに示すように、圧力は「標準」に設定される）。１つ以上の実施形態では、基本圧力設定は、デフォルトまたは以前に使用された圧力を、選択された量（例えば、約１％、約２％、約４％、約５％、約７％、約１０％、約１５％などの選択されたパーセント）だけ減少させ、維持し、または増加させるものであると特徴付けられ得る。更に、各治療圧変化領域３８８（例えば、ベスト、頭部、体幹、大腿部、ふくらはぎ、足、胸、腕、手など）は、例えば、設定された基本圧力設定の２５％、５０％、７５％、及び１００％の間で独立して調節されてもよい。言い換えれば、それぞれ別個の構成要素は、基本設定から個別に独立して変更することができる。更に、各治療圧変化領域３８８が設定された後に、ユーザは領域３８９を選択して、圧力調節の完了を指示することができる。
【０１０２】
別段の記載がない限り、本明細書及び特許請求の範囲で使用される特徴の大きさ、量、及び物理的特性を表す全ての数値は、全ての場合において「約」という用語によって修正されているものとして理解される。したがって、反対に示されない限り、前述の明細書及び添付の特許請求の範囲に示される数値パラメータは、本明細書に開示される教示を利用する当業者によって得られることが求められる所望の特性に応じて変化し得る近似値である。端点による数値範囲の使用には、その範囲内の全ての数値（例えば、１〜５には１、１．５、２、２．７５、３、３．８０、４、５が含まれる）と、その範囲内の任意の範囲とが含まれる。
【０１０３】
開示された実施例に記載される特定の材料及び寸法、ならびに他の条件及び詳細は、本開示を不当に制限するものと解釈されるべきではない。主題は、構造的特徴及び／または方法的行為に固有の言語で記載されてきたが、添付の特許請求の範囲に定義された主題は、必ずしも上記の特定の特徴または行為に限定されないことが理解されよう。むしろ、上に述べた具体的な特徴及び行為は、特許請求の範囲を実施するための代表的な形態として開示されている。
【図１】
2021502151.tif 000003
【図２】
2021502151.tif 000004
【図３】
2021502151.tif 000005
【図４】
2021502151.tif 000006
【図５】
2021502151.tif 000007
【図６Ａ】
2021502151.tif 000008
【図６Ｂ】
2021502151.tif 000009
【図６Ｃ】
2021502151.tif 000010
【図７Ａ】
2021502151.tif 000011
【図７Ｂ】
2021502151.tif 000012
【図７Ｃ】
2021502151.tif 000013
【図８】
2021502151.tif 000014
【図９】
2021502151.tif 000015
【図１０】
2021502151.tif 000016
【図１１Ａ】
2021502151.tif 000017
【図１１Ｂ】
2021502151.tif 000018
【図１１Ｃ】
2021502151.tif 000019
【図１１Ｄ】
2021502151.tif 000020
【図１１Ｅ】
2021502151.tif 000021
【図１１Ｆ】
2021502151.tif 000022
【図１２Ａ】
2021502151.tif 000023
【図１２Ｂ】
2021502151.tif 000024
【図１２Ｃ】
2021502151.tif 000025
【国際調査報告】
2021502151.tif 000026
2021502151.tif 000027
2021502151.tif 000028